(57)【要約】    【課題】  画像データの機密性を高めることができる画像形成装置を提供する。    【解決手段】  細断すべき用紙１０１に設けられた無線タグ１０２に記憶された識別情報に対応する画像データを、その画像データが保存されている保存手段から適切に消去する。【選択図】      図１
2006128798.tif 000002
【特許請求の範囲】
【請求項１】
用紙を細断処理する細断装置と通信可能な画像形成装置であって、
画像データを入力する入力手段と、
前記画像データを前記画像データを識別するための識別情報とともに保存する保存手段と、
用紙に設けられた記憶媒体に前記識別情報を書き込む情報書き込み手段と、
用紙に設けられた記憶媒体から前記識別情報を読み出す情報読み出し手段と、
前記画像データに基づいて用紙に画像を形成する画像形成手段と、
前記細断装置が細断すべき用紙の前記記憶媒体に記憶された前記識別情報を前記細断装置から受信する受信手段と、
前記受信手段が受信した前記識別情報に対応する画像データを前記保存手段から消去するよう制御する制御手段とを有することを特徴とする画像形成装置。
【請求項２】
前記入力手段は、原稿を読み取ることで画像データを入力することを特徴とする請求項１に記載の画像形成装置。
【請求項３】
前記入力手段は、外部装置から送信される画像データを入力することを特徴とする請求項１に記載の画像形成装置。
【請求項４】
前記情報書込み手段は、前記記憶媒体に非接触状態で前記識別情報を書き込み、
前記情報読み出し手段は、前記記憶媒体から非接触状態で前記識別情報を読み出すことを特徴とする請求項１乃至３のいずれかに記載の画像形成装置。
【請求項５】
用紙に画像を形成する画像形成装置と前記用紙を細断処理する細断装置とを有する画像形成システムであって、
前記画像形成装置は、
画像データを入力する入力手段と、
前記画像データを前記画像データを識別するための識別情報とともに保存する保存手段と、
用紙に設けられた記憶媒体に前記識別情報を書き込む情報書き込み手段と、
用紙に設けられた記憶媒体から前記識別情報を読み出す情報読み出し手段と、
前記画像データに基づいて用紙に画像を形成する画像形成手段とを有し、
前記細断装置は、
前記用紙を細断処理する細断手段と、
前記細断手段により細断されるべき用紙に設けられた前記記憶媒体から前記識別情報を読み出す情報読み出し手段と、
前記情報読み出し手段が読み出した前記識別情報に対応する画像データを前記保存手段から消去するよう制御する制御手段とを有することを特徴とする画像形成システム。
【請求項６】
前記入力手段は、原稿を読み取ることで画像データを入力することを特徴とする請求項５に記載の画像形成システム。
【請求項７】
前記入力手段は、外部装置から送信される画像データを入力することを特徴とする請求項５に記載の画像形成システム。
【請求項８】
前記情報書込み手段は、前記記憶媒体に非接触状態で前記識別情報を書き込み、
前記情報読み出し手段は、前記記憶媒体から非接触状態で前記識別情報を読み出すことを特徴とする請求項５乃至７のいずれかに記載の画像形成システム。
【発明の詳細な説明】
【技術分野】
【０００１】
本発明は、画像形成装置及び画像形成システムに関する。
【背景技術】
【０００２】
近年、商品管理や個別物品を識別するために、バーコードに代えてRFID等の無線タグが用いられ始めている。この無線タグは、アンテナやIC（集積回路）を内蔵しており、外部装置と無線通信を行う機能や、各種情報を記録・保持する機能を有している可搬性の記憶媒体である。
【０００３】
このような無線タグを用いるシステムでは、無線タグ内のICに、管理対象物固有の識別情報（ID情報）を含むタグ情報を予め記憶し、その無線タグを管理対象物に添付しておく。そして、リーダ（無線タグ読み出し手段）により無線タグからタグ情報を非接触（無線）で読み出し、読み出したタグ情報を各種物品の管理に使用している。
【０００４】
無線タグの特徴としては、（１）非接触でデータの送受信が可能、（２）一度に複数のタグ情報を読み出し可能等があり、このような特徴を利用して、従来バーコードで行われていた物品管理を更に効率良く行うことが可能となっている。
【０００５】
また、この無線タグの応用例として、印刷用紙等に無線タグを埋め込んだRFIDタグ付き印刷用紙（RFIDタグ付き媒体）が提案されている（例えば、特許文献１参照）。
【０００６】
これは、データの読み書きが可能で、そのデータを電波によって送受信するRFIDタグを付属してなるRFIDタグ付き印刷用紙として提案されている。
【０００７】
このRFIDタグ付き印刷用紙は、印刷用紙にRFIDタグを設けて、印刷用紙には画像データを印刷して、RFIDタグには画像データを電子データとして記憶させるものである。
【０００８】
また、プリンタ機能及びファクシミリ機能を有する複写機には、原稿用のリーダ／ライタ及び印刷用紙用のリーダ／ライタを設けており、必要に応じて、電子データの送受信を行うものである。
【０００９】
また、このような印刷用紙を扱うプリンタ装置等の画像処理装置において、昨今、電子データのセキュリティが重要視されている。現状、プリンタ装置の機能としてセキュアプリント機能がある。
【００１０】
このセキュアプリント機能とは、機密文書をプリントアウトする際のセキュリティを向上させるための機能である。
【００１１】
一般のオフィス環境においては、ネットワークに接続されたプリンタ装置を複数人で共有して使用している。このようなオフィス環境では、ユーザからプリンタ装置が離れた場所に設置されていることが多く、プリンタ装置により出力された印刷用紙は、他人が容易に見ることができる状態にある。他人に閲覧されることが機密上好ましくない文書を出力する方法として、セキュアプリント機能がある。
【００１２】
これは、パーソナルコンピュータよりプリント機能を実行した後、すぐには印刷出力を行わず、一時的にプリンタ装置内の一時記憶装置にプリントデータを記憶させておく。そして、ユーザがプリンタ装置の前まで行き、操作部により予め定められたパスワードを入力することで、印刷出力を行うというものである。
【００１３】
実際にユーザがセキュアプリント機能を実行する場合の実行フローは、パーソナルコンピュータのプリンタドライバより、セキュアプリント機能を実行し、ユーザがプリンタ装置の前まで移動して、操作部よりパスワードを入力し、画像を出力するという流れで操作が行われる。
【００１４】
セキュアプリント機能を実行する場合、プリンタ装置は、受け取った画像データを、プリンタ装置の内部に備えられたハードディスク等の一時記憶装置に記憶保存している。
【００１５】
一方、このように、プリンタ装置内部の一時記憶装置に電子データを記憶させて、パスワードを入力することでデータを出力させる機能として、ボックス（BOX）プリント機能がある。
【００１６】
このボックスプリント機能は、複写機等に設けられたスキャナ（読み取り装置）で読み取ったスキャンデータを、複写機の内部に有する一時記憶装置に記憶させておく機能である。これは、一般に紙文書を電子データに変換させて保管しておくことで、紙文書の保管スペースを削減する等の用途で、昨今使用されている便利な機能である。
【００１７】
現在は、HDD（ハードディスクドライブ）内に個人毎のフォルダを設けて、そのフォルダ毎にパスワードを設定することにより、セキュリティが確保されるようになっている。
【００１８】
勿論、上述した、セキュアプリント機能においても、予めボックス（BOX）内に設定したフォルダにプリントデータを一時的に保存しておくボックス機能と組み合わせて使用し、文書データを保存管理することも可能である。
【特許文献１】特開２００２−３３７４２６号公報
【発明の開示】
【発明が解決しようとする課題】
【００１９】
しかしながら、このように文書を電子化する場合、更なるセキュリティの強化を行う必要がある。職場においては、前述したように、ボックス内に各種データを電子化して保存する機能が普及するにつれ、ボックス内に一時記憶されている機密文書の扱いが重要視されつつある。これは、現状は、簡単なパスワード入力だけでは、データの盗難等が容易に行われる可能性がある。これは、パスワードを管理しているデータが、機密の電子データと同様に装置内部の一時記憶装置に記憶されているため、悪意を抱いている者がパスワードを知り得た場合、セキュリティを解除できてしまう虞があるからである。
【００２０】
これを解決するためには、ボックスに保存する必要があるデータに関するパスワードを管理するデータ事態を物理的に別の場所に管理する方法と、不必要な機密文書の保存は行わないで、必要が無ければ削除してしまうことが重要である。
【００２１】
また、ハードディスクをファイルサーバとして使用する場合、セキュリティが施された大量のファイルの整理作業が繁雑になるのと同時に、不必要になったセキュリティ上重要なファイルが忘れられたまま残り続けることになるのも問題であるからである。
【００２２】
本発明は、上述した従来技術の有する問題点を解消するためになされたもので、その目的は、細断すべき用紙に設けられた記憶媒体に記憶された識別情報に対応する画像データを、その画像データが保存されている保存手段から適切に消去することで、画像データの機密性を高めることができる画像形成装置及び画像形成システムを提供することである。
【課題を解決するための手段】
【００２３】
上記目的を達成するため、本発明の画像形成装置は、用紙を細断処理する細断装置と通信可能な画像形成装置であって、画像データを入力する入力手段と、前記画像データを前記画像データを識別するための識別情報とともに保存する保存手段と、用紙に設けられた記憶媒体に前記識別情報を書き込む情報書き込み手段と、用紙に設けられた記憶媒体から前記識別情報を読み出す情報読み出し手段と、前記画像データに基づいて用紙に画像を形成する画像形成手段と、前記細断装置が細断すべき用紙の前記記憶媒体に記憶された前記識別情報を前記細断装置から受信する受信手段と、前記受信手段が受信した前記識別情報に対応する画像データを前記保存手段から消去するよう制御する制御手段とを有することを特徴とする。
【００２４】
また、上記目的を達成するため、本発明の画像形成システムは、用紙に画像を形成する画像形成装置と前記用紙を細断処理する細断装置とを有する画像形成システムであって、前記画像形成装置は、画像データを入力する入力手段と、前記画像データを前記画像データを識別するための識別情報とともに保存する保存手段と、用紙に設けられた記憶媒体に前記識別情報を書き込む情報書き込み手段と、用紙に設けられた記憶媒体から前記識別情報を読み出す情報読み出し手段と、前記画像データに基づいて用紙に画像を形成する画像形成手段とを有し、前記細断装置は、前記用紙を細断処理する細断手段と、前記細断手段により細断されるべき用紙に設けられた前記記憶媒体から前記識別情報を読み出す情報読み出し手段と、前記情報読み出し手段が読み出した前記識別情報に対応する画像データを前記保存手段から消去するよう制御する制御手段とを有することを特徴とする。
【発明の効果】
【００２５】
本発明によれば、細断すべき用紙に設けられた記憶媒体に記憶された識別情報に対応する画像データを、その画像データが保存されている保存手段から適切に消去することで、画像データの機密性を高めることができる。
【発明を実施するための最良の形態】
【００２６】
以下、本発明の画像形成装置及び画像形成システムの好適な実施の形態について、図面を参照しながら説明する。
【００２７】
本発明の特徴は、用紙を細断処理する細断装置と通信可能な画像形成装置であって、画像データを入力する入力手段と、前記画像データを前記画像データを識別するための識別情報とともに保存する保存手段と、用紙に設けられた記憶媒体に前記識別情報を書き込む情報書き込み手段と、用紙に設けられた記憶媒体から前記識別情報を読み出す情報読み出し手段と、前記画像データに基づいて用紙に画像を形成する画像形成手段と、前記細断装置が細断すべき用紙の前記記憶媒体に記憶された前記識別情報を前記細断装置から受信する受信手段と、前記受信手段が受信した前記識別情報に対応する画像データを前記保存手段から消去するよう制御する制御手段とを有することである。
【００２８】
また、本発明の別の特徴は、用紙に画像を形成する画像形成装置と前記用紙を細断処理する細断装置とを有する画像形成システムであって、前記画像形成装置は、画像データを入力する入力手段と、前記画像データを前記画像データを識別するための識別情報とともに保存する保存手段と、用紙に設けられた記憶媒体に前記識別情報を書き込む情報書き込み手段と、用紙に設けられた記憶媒体から前記識別情報を読み出す情報読み出し手段と、前記画像データに基づいて用紙に画像を形成する画像形成手段とを有し、前記細断装置は、前記用紙を細断処理する細断手段と、前記細断手段により細断されるべき用紙に設けられた前記記憶媒体から前記識別情報を読み出す情報読み出し手段と、前記情報読み出し手段が読み出した前記識別情報に対応する画像データを前記保存手段から消去するよう制御する制御手段とを有ることである。
【００２９】
そして、細断すべき用紙に設けられた記憶媒体に記憶された識別情報に対応する画像データを、その画像データが保存されている保存手段から適切に消去することで、画像データの機密性を高めるようにしたものである。
【００３０】
（第１の実施の形態）
まず、本発明の第１の実施の形態について、図１〜図２１に基づき説明する。
【００３１】
＜RFID付き印刷用紙＞
図１は、第１の実施の形態に係る画像形成装置及び画像形成システムに用いるRFIDタグ（記憶媒体）付き印刷用紙（用紙）の構成を示す平面図であり、同図において、１０１はRFIDタグ付き印刷用紙で、一般的な印刷用に用いられる用紙１０１に記憶媒体であるRFIDタグ（無線タグ）１０２を設けて構成されている。このRFIDタグ（無線タグ）１０２は、用紙１０１上に貼り付け、或いは、予め用紙１０１の製造工程で用紙１０１の内部に埋め込むことにより設けられる。このRFIDタグ付き印刷用紙１０１中に添付されているRFIDタグ１０２は、専用のリーダ／ライタ部（情報読み出し／書き込み手段）でデータ（タグ情報）を読み出し／書き込みすることが可能である。このデータの読み出し／書き込みは、RFIDタグ１０２とリーダ／ライタ部との間で、電波（無線）によってデータの送受信を行うことにより、非接触状態で実行される。
【００３２】
＜RFIDタグ１０２＞
RFIDタグ１０２は、RFIDアンテナ部とIC（集積回路）部とを備えている。RFIDアンテナ部は、送受信回路と共に電力供給機能をも果たす。リーダ／ライタ部から放射される所定周波数の電磁フィールド内を無線タグ１０２が通過する際、RFIDアンテナ部において誘起電圧が生じ、その誘起電圧によりIC部が駆動されるようになっている。従って、RFIDタグ１０２部では電池等を必要としないため、実質的に寿命の制限が無くなると共に、RFIDタグ１０２自体の小型軽量化を実現でき、しかも、電池交換作業が不要になり、メンテナンスフリーを実現することが可能になる。
【００３３】
＜RDIFタグ１０２とリーダ／ライタ部＞
図２は、RFIDタグ１０２の構成を示すブロック図であり、同図において、２００は変調回路、２０１は制御手段としてのCPU（中央演算処理装置）、２０２は整流・平滑回路、２０３はメモリ部を構成するROM（Read Only Memory）、２０４は情報を書き込み可能な記憶素子、例えば、消去可能な不揮発性メモリとしてのEEPROM(Electrically Erasable and Programmable Read Only Memory)、２０５は電波信号を受信するためのアンテナ用コイル、２０６は共振コンデンサである。
【００３４】
変調回路２００は、リーダ／ライタ部から送信されて来る信号を復調してCPU２０１に供給するものである。リーダ／ライタ部から送信されて来る信号は、電力用電波信号に重畳して送信されるようになっている。CPU２０１は、ROM２０３に記憶された動作プログラムに従って動作するもので、変復調回路２００から入力される信号に応じた処理を実行し、受信したデータをEEPROM２０４に書き込んだり、EEPROM２０４からデータを読み出して変復調回路２００により変調し、アンテナ用コイル２０５から電波信号として送信したりする。
【００３５】
整流・平滑回路２０２は、動作用電源回路を構成するもので、共振回路（アンテナ用コイル２０５及び共振コンデンサ２０６）から送信された電力用電波信号を整流し、平滑化して一定電圧直流電力にしてCPU２０１等に供給する。ROM２０３及びEEPROM２０４は、データを記憶する記憶媒体である。アンテナ用コイル２０５は、共振コンデンサ２０６と並列に接続されて共振回路を構成し、リーダ／ライタ部から所定の高周波数の電力用電波信号が送信されて来ると、これを受信して、整流・平滑回路２０２に供給する。
【００３６】
なお、以上のようなRFIDタグ１０２において、アンテナ用コイル２０５は、フィルムに印刷等によって設けられ、変復調回路２００、CPU２０１、整流・平滑回路２０２、ROM２０３、EEPROM２０４は、小チップにして上記フィルムに実装され、そして、該フィルムは、印刷用紙の中に埋め込まれている。
【００３７】
図３は、リーダ／ライタ部の構成を示すブロック図であり、同図において、３００はリーダ／ライタ部（情報読み出し／書き込み手段）で、送信アンテナ用コイル３０１を備えた送信部３０２及び受信アンテナ用コイル３０３を備えた受信部３０４から成る。これら送信部３０２及び受信部３０４は、後述する画像形成装置であるデジタル複写機全体を制御する制御手段としてのコントローラユニット（制御回路）５１０に接続されている。そして、RFIDタグ１０２と通信する場合、まず、コントローラユニット５１０は、キャリア信号を送信部３０２で変調して電力用電波信号として送信アンテナ用コイル３０１から送信し、その後、送信すべきデータ信号を電力用電波信号に重畳するように送信部３０２で変調して送信アンテナ用コイル３０１から送信する。RFIDタグ１０２から送信された電波信号については、これを受信アンテナ用コイル３０３で受信し、受信部３０４で復調してデータとして弁別するようになっている。
【００３８】
＜画像形成装置（デジタル複写機）の制御システム構成＞
＜画像形成装置の外観構成＞
図４は、第１の実施の形態に係る画像形成装置であるデジタル複写機の外観構成を示す側面図である。
【００３９】
図４において、４００は画像形成装置で、その画像入力デバイスであるスキャナ部（入力手段）４０１は、原稿画像をランプにより照射し、CCD（撮像素子）ラインセンサ(図示せず)で読み取り（読み出し）、電気信号に変換することで画像データとして処理を行う。また、スキャナ部（入力手段）４０１は、外部装置から送信される画像データを入力することが可能である。
【００４０】
原稿用紙を原稿フィーダ（原稿自動送り手段）４０２にセットし、画像形成装置４００の操作者が操作部４０３から読み取り起動を指示することにより、原稿フィーダ４０２は、原稿用紙を１枚ずつフィードし、スキャナ部（入力手段）４０１は、原稿画像の読み取り動作を行う。
【００４１】
画像出力デバイスであるプリンタ部（画像形成手段）４０４は、画像データを印刷用紙上の画像に形成するものであり、本実施の形態では、感光体ドラムや感光体ベルト等の感光体を用いた電子写真方式により画像形成する場合について説明するが、微少ノズルアレイからインクを吐出して印刷用紙上に直接画像を印刷するインクジェット方式等でも構わない。
【００４２】
プリント動作の起動は、画像形成装置４００の内部のコントローラ（後述する）からの指示によって開始する。プリンタ部４０４には、異なる印刷用紙サイズ、または、異なる印刷用紙の向きを選択できるように複数の給紙段を持ち、それに対応した印刷用紙カセット４０５，４０６，４０７，４０８が設けられている。また、画像形成された印刷用紙は、排紙トレイ４０９上に排出される。
【００４３】
図５は、図４に示した画像形成装置４００の内部構成を示す側断面図であり、同図を用いて画像形成装置４００の動作の詳細を説明する。
【００４４】
図５において、５０１は原稿台ガラス（原稿載置台）で、原稿フィーダ４０２から給送された原稿が順次、所定位置に載置される。５０２は、例えば、ハロゲンランプから構成される原稿照明ランプ（照明体）で、原稿台ガラス５０１に載置された原稿を露光する。５０３，５０４，５０５は走査ミラーで、図示しない光学走査ユニットに収容され、往復運動しながら、原稿からの反射光をCCDユニット５０６に導く。
【００４５】
CCDユニット５０６は、CCD（電荷結合素子）に原稿からの反射光を結像させる結像レンズ５０７、例えばCCDから構成される撮像素子５０８、撮像素子５０８を駆動するCCDドライバ５０９等から構成されている。撮像素子５０８からの画像信号出力は、例えば、８ビットのデジタルデータに変換された後、コントローラユニット５１０に入力される。
【００４６】
また、５１１は感光ドラム（感光体）で、前露光ランプ５１２によって画像形成に備えて除電される。５１３は１次帯電器で、感光ドラム５１１を一様に帯電させる。５１４は露光手段で、例えば、半導体レーザ等で構成され、画像形成や装置全体の制御を行うコントローラユニット５１０で処理された画像データに基づいて感光ドラム５１１を露光し、静電潜像を形成する。５１５は現像器で、黒色の現像剤（トナー）が収容されている。
【００４７】
５１６は転写前帯電器で、感光ドラム５１１上に現像されたトナー像を転写用紙（印刷用紙）に転写する前に高圧を付与する。５１７，５１８，５１９，５２０，５２１は給紙ユニットで（５１７は手差し給紙ユニット）、各給紙ローラ５２２，５２３，５２４，５２５，５２６の駆動により、転写用紙が画像形成装置４００内へ給送され、レジストローラ５２７の配設位置で一旦停止し、感光ドラム５１１に形成された画像との書き出しタイミングがとられて再給送される。５２８は転写帯電器で、感光ドラム５１１に現像されたトナー像を給送される転写用紙に転写する。５２９は分離帯電器で、転写動作の終了した転写用紙を感光ドラム５１１より分離する。転写されずに感光ドラム５１１上に残ったトナーは、クリーナ５３０によって回収される。
【００４８】
５３１は搬送ベルトで、転写プロセスの終了した転写用紙を定着器５３２に搬送し、例えば、熱により定着される。５３３はフラッパで、定着プロセスの終了した転写用紙の搬送パスを、ソータ５３４または中間トレイ５３５の配置方向のいずれかに制御する。また、５３６，５３７，５３８，５３９は給送ローラで、一度定着プロセスの終了した転写用紙を中間トレイ５３５に反転（多重）または非反転（両面）して給送する。５４０は再給送ローラで、中間トレイ５３５に載置された転写用紙を再度、レジストローラ５２７の配設位置まで搬送する。
【００４９】
コントローラユニット５１０には、後述するマイクロコンピュータ、画像処理部等を備えており、マンマシンインタフェース５４１からの指示に従って、前述の画像処理動作を行う。
【００５０】
図６は、図５に示した画像形成装置４００のコントローラユニット５１０の構成を示すブロック図である。
【００５１】
同図に示すように、コントローラユニット５１０は、画像入力デバイスであるスキャナ部４０１や画像出力デバイスであるプリンタ部４０４と接続し、一方では、LAN（域内通信網）６００や公衆回線(WAN)６０１に接続することで、画像情報やデバイス情報の入出力を行うためのコントローラである。CPU(中央演算処理装置)６０２は、システム全体を制御するコントローラである。RAM(Random Access Memory)６０３は、CPU６０２が動作するためのシステムワークメモリで、画像データを一時記憶するための画像メモリ（保存手段）でもある。ROM(Read Only Memory)６０４は、ブートROMで、システムのブートプログラムが格納されている。
【００５２】
HDD(ハードディスクドライブ)６０５は、システムソフトウェア、画像データ、ソフトウェアカウンタ値等のデータを格納する保存手段である。ソフトウェアカウンタ値は、印刷用紙のサイズ別カウンタ領域とデータ処理容量別カウンタ領域とが設定されており、画像出力枚数やCPU６０２が処理したデータ容量に基づき予め設定した任意の基準容量値を基準に算出してカウントアップが行われる。カウンタ値は、HDD６０５に限らず、電源が切れても記憶保持することができれば、図示しないEEPROM等に、その記憶領域を持っても良い。
【００５３】
操作部I/F（インタフェース）６０６は、操作部(UI)６０７とのインタフェース部で、操作部６０７に表示する画像データを該操作部６０７に対して出力する。また、操作部I/F６０６は、操作部６０７から本システムの使用者が入力した情報を、CPU６０２に伝える役割をする。ネットワーク（Network）I/F（インタフェース）６０８は、LAN６００に接続し、出力用画像データの入出力や機器制御に係る情報の入出力を行う。また、ネットワークI/F６０８は、操作部６０７における入力操作によって、ネットワーク６０９上のホストコンピュータ６１０や図示しない出力用画像データ管理装置から操作部６０７による入力操作に応じた出力用画像データを受信して画像出力を行う受信手段としての機能を有している。モデム（Modem）６１１は、公衆回線６０１に接続し、情報の入出力を行う。音声入出力ユニット６１２は、音声をスピーカに対して出力したり、ハンドセットに対して、音声出力したり、音声入力するための制御を行う。
【００５４】
スキャナ／プリンタ通信I/F（インタフェース）６１３は、スキャナ部４０１、プリンタ部４０４のCPUとそれぞれ通信を行うためのインタフェース部である。タイマ６１４は、画像形成装置４００及びコントローラユニット５１０の時刻設定や一定時間周期に割り込みを発する計時手段として機能する。電源制御部６１４は、画像形成装置４００の各デバイスに対する電源供給を制御する。無線LAN６１５は、無線通信を行う。RFIDタグリーダ／ライタ部（情報読み出し／書き込み手段）６１６は、RFIDタグ付き印刷用紙１０１のRFIDタグ１０２からタグ情報の読み出しや書き込みを行う。このRFIDタグリーダ／ライタ部６１６は、図３に示すリーダ／ライタ部３００に相当するものである。
【００５５】
このRFIDタグリーダ／ライタ部６１６は、原稿フィーダ４０２や、印刷用紙の出力口付近に取り付けられており、ボックス（BOX）格納やボックス（BOX）プリントを行う場合に、セキュリティパスワードとして機能するRFIDタグ付き印刷用紙１０１よりタグ情報の読み取り（読み出し）や、ボックス格納時にセキュリティキーとして機能するRFIDタグ付き印刷用紙１０１のRFIDタグ１０２にRFIDリーダ／ライタ部６１６で認証情報を書き込み、印刷用紙の出力を行う。
【００５６】
以上のデバイスがシステムバス６１７上に配置される。
【００５７】
イメージバス（Image Bus）I/F（インタフェース）６１８は、システムバス６１７と画像データを高速で転送する画像バス６１９と接続し、データ構造を変換するバスブリッジである。画像バス６１９は、PCIバスまたはIEEE1394で構成される。画像バス６１９上には以下のデバイスが配置される。
【００５８】
ラスターイメージプロセッサ(RIP)６２０は、PDLコードをビットマップイメージに展開する。スキャナ画像処理部６２１は、入力画像データに対し補正、加工、編集を行う。プリンタ画像処理部６２２は、プリント出力画像データに対して、プリンタの補正、解像度変換等を行う。画像回転処理部６２３は、画像データの回転処理を行う。画像圧縮処理部６２４は、多値画像データはJPEG、２値画像画像データはJBIG、MMR、MHの圧縮伸張処理を行う。デバイスI/F（インタフェース）６２５は、画像入出力デバイスであるスキャナ部４０１やプリンタ部４０４とコントローラユニット５１０とを接続し、画像データの同期系/非同期系の変換を行う。
【００５９】
PDLアクセラレータ６２６は、Sub CPU６２７、RAM６２８、ROM６２９、バスアイソレータ６３０、電源(B)６３１を有している。Sub CPU６２７は、Network I/F６０８を介して受信したプリントデータを画像処理するためのビットマップデータへ展開処理を行うアクセラレータとして作用する。RAM６２８は、Sub CPU６２７が動作するためのワークメモリである。ROM６２９は、PDLアクセラレータ６２６としての機能プログラムが格納されている。PDLアクセラレータ６２６とCPU６０２とから構成されるコントローラ回路群とは、バスアイソレータ６３０を介して接続されている。PDLアクセラレータ６２６は、メインコントローラは個別に電源供給を行う制御が可能であり、電源制御部６１４において電源供給部６３２を制御することにより、電源（A）６３３と電源（B）６３１とプリンタ部４０４、スキャナ部４０１への電源供給の制御が行われる。バスアイソレータ６３０は、電源（A）６３３に電源が供給されている状態で、電源（B）６３１への電源供給が遮断された場合に、片電源による電流の回りこみ回避の役割をしている。
【００６０】
＜スキャナ画像処理部６２１の構成＞
図７は、スキャナ画像処理部６２１の構成を示すブロック図であり、同図において、画像バスI/F（インタフェース）コントローラ７００は、画像バス６１９と接続し、そのバスアクセスシーケンスを制御する働きと、スキャナ画像処理部６２１内の各デバイスの制御及びタイミングを発生させる。フィルタ処理部７０１は、空間フィルタでコンボリューション演算を行う。編集処理部７０２は、例えば、入力画像データからマーカーペンで囲まれた閉領域を認識して、その閉領域内の画像データに対して、影付け、網掛け、ネガポジ反転等の画像加工処理を行う。変倍処理部７０３は、読み取り画像の解像度を変える場合にラスターイメージの主走査方向について補間演算を行い、拡大処理及び縮小処理を行う。副走査方向の変倍については、画像読み取りラインセンサ(図示せず)を走査する速度を変えることで行う。テーブル７０４は、読み取った輝度データである画像データを濃度データに変換するために行うテーブル変換である。２値化処理部７０５は、多値のグレースケール画像データを、誤差拡散処理やスクリーン処理によって２値化処理する。
【００６１】
２値化処理部７０５において２値化処理が終了した画像データは、再び画像バスI/Fコントローラ７００を介して、画像バス６１９上に転送される。
【００６２】
＜プリンタ画像処理部６２２の構成＞
図８は、プリンタ画像処理部６２２の構成を示すブロック図であり、同図において、画像バスI/F（インタフェース）コントローラ８００は、画像バス６１９と接続し、そのバスアクセスシーケンスを制御する働きと、プリンタ画像処理部６２２内の各デバイスの制御及びタイミングを発生させる。解像度変換処理部８０１は、ネットワーク６０９或いは公衆回線６０１から来た画像データを、プリンタ部４０４の解像度に変換するための解像度変換処理を行う。スムージング処理部８０２は、解像度変換処理後の画像データのジャギー(斜め線等の白黒境界部に現れる画像のがさつき)を滑らかにする処理を行う。
【００６３】
＜画像回転処理部６２３の構成＞
図９は、画像回転処理部６２３の構成を示すブロック図であり、同図に示すように、画像バスI/F（インタフェース）コントローラ９００は、画像バス６１９と接続し、そのバスシーケンスを制御する働き、画像回転部９０１にモード等を設定する制御及び画像回転部９０１に画像データを転送するためのタイミング制御を行う。RAM９０２は、データを格納する。
【００６４】
以下に、画像回転部９０１の処理手順を説明する。
【００６５】
画像バス６１９を介して、CPU６０２から画像バスI/Fコントローラ９００に画像回転制御のための設定を行う。この設定により、画像バスI/Fコントローラ９００は、画像回転部９０１に対して画像回転処理に必要な設定(例えば、画像サイズや回転方向・角度等)を行う。必要な設定を行った後に、再度CPU６０２から画像バスI/Fコントローラ９００に対して画像データ転送の許可を行う。この許可に従い、画像バスI/Fコントローラ９００は、RAM６０３若しくは画像バス６１９上の各デバイスから画像データの転送を開始する。
【００６６】
尚、ここでは３２ビット（bit）をそのサイズとして画像回転処理を行う画像サイズを３２×３２ビット(bit)とし、また、画像バス６１９上に画像データを転送させる際に３２ビット（bit）を単位とする画像データ転送を行うものとする(扱う画像は２値を想定する)。
【００６７】
上述のように、３２×３２ビット(bit)の画像を得るためには、上述の単位での画像データ転送を３２回行う必要があり、且つ不連続なアドレスから画像データを転送する必要がある(図１１参照)。
【００６８】
不連続アドレッシングにより転送された画像データは、読み出し時に所望の角度に回転されているように、RAM９０２に書き込まれる。例えば、９０度反時計方向の画像回転であれば、最初に転送された３２ビット（bit）の画像データを、図１２のようにY方向に書き込んでいく。読み出し時にはX方向に読み出すことで、画像データが回転される。
【００６９】
３２×３２ビット(bit)の画像回転処理(RAM９０２への書き込み)が完了した後、画像回転部９０１は、RAM９０２から上述した読み出し方法で画像データを読み出し、画像バスI/Fコントローラ９００に画像データを転送する。
【００７０】
回転処理された画像データを受け取った画像バスI/Fコントローラ９００は、連続アドレッシングを以って、RAM６０３若しくは画像バス６１９上の各デバイスにデータを転送する。
【００７１】
このような一連の処理は、CPU６０２からの処理要求が無くなるまで(必要なページ数の処理が終わるまで)繰り返される。
【００７２】
＜画像圧縮処理部６２４の構成＞
図１０は、画像圧縮処理部６２４の構成を示すブロック図であり、同図において、画像バスI/F（インタフェース）コントローラ１０００は、画像バス６１９と接続し、そのバスアクセスシーケンスを制御する働き、入力バッファ１００１及び出力バッファ１００３との画像データのやり取りを行うためのタイミング制御及び画像圧縮部１００２に対するモード設定等の制御を行う。
【００７３】
以下、画像圧縮処理部６２４の処理手順を示す。
【００７４】
画像バス６１９を介して、CPU６０２から画像バスI/Fコントローラ１０００に画像圧縮制御のための設定を行う。この設定により画像バスI/Fコントローラ１０００は、画像圧縮部１００２に対して画像圧縮処理に必要な設定(例えば、MMR圧縮・JBIG伸長等の)を行う。画像圧縮処理に必要な設定を行った後に、再度CPU６０２から画像バスI/Fコントローラ１０００に対して画像データ転送の許可を行う。この画像データ転送の許可に従い、画像バスI/Fコントローラ１０００は、RAM６０３若しくは画像バス６１９上の各デバイスから画像データの転送を開始する。受け取った画像データは、入力バッファ１００１に一時格納され、画像圧縮部１００２の画像データ要求に応じて一定のスピードで画像データを転送する。この際、入力バッファ１００１は、画像バスI/Fコントローラ１０００と画像圧縮部１００２との間で、画像データを転送できるか否かを判断する。そして、画像バス６１９からの画像データの読み出し及び画像圧縮部１００２への画像データの書き込みが不可能である場合は、画像データの転送を行わないような制御を行う(以後、このような制御をハンドシェークと呼称する)。画像圧縮部１００２は、受け取った画像データを、一旦RAM１００４に格納する。これは、画像圧縮処理を行う際には、その画像圧縮処理の種類によって数ライン分のデータを要するためであり、最初の１ライン分の画像圧縮処理を行うためには、数ライン分の画像データを用意してからでないと画像圧縮処理が行えないからである。
【００７５】
画像圧縮処理を施された画像データは、直ちに出力バッファ１００３に送られる。出力バッファ１００３では、画像バスI/Fコントローラ１０００及び画像圧縮部１００２とのハンドシェークを行い、画像データを画像バスI/Fコントローラ１０００に転送する。画像バスI/Fコントローラ１０００では、転送され且つ圧縮処理(若しくは伸長処理)された画像データを、RAM６０３若しくは画像バス６１９上の各デバイスに転送する。
【００７６】
このような一連の処理は、CPU６０２からの処理要求が無くなるまで(必要なページ数の処理が終わるまで)、若しくは、この画像圧縮部１００２から停止要求が出るまで(圧縮処理及び伸長処理時のエラー発生時等)繰り返される。
【００７７】
＜デバイスI/F６２５の構成＞
図１３は、デバイスI/F６２５の構成を示すブロック図であり、同図において、画像バスI/Fコントローラ１３００は、画像バス６１９と接続し、そのバスアクセスシーケンスを制御する働きと、デバイスI/F６２５内の各デバイスの制御及びタイミングを発生させる。また、スキャナ部４０１及びプリンタ部４０４への制御信号を発生させる。
【００７８】
シリアルパラレル・パラレルシリアル変換処理部１３０１は、スキャンバッファ１３０２に保存された画像データを順番に並べて、或いは分解して、画像バス６１９に転送できる画像データのデータ幅に変換する。スキャンバッファ１３０２は、スキャナ部４０１から送られて来る画像データを一時保存し、画像バス６１９に同期させて画像データを出力する。パラレルシリアル・シリアルパラレル変換処理部１３０３は、プリントバッファ１３０４に保存された画像データを順番に並べて、或いは分解して、画像バス６１９に転送できる画像データのデータ幅に変換する。プリントバッファ１３０４は、画像バス６１９から送られて来る画像データを一時保存し、プリンタ部４０４に同期させて画像データを出力する。
【００７９】
以下、デバイスI/F６２５の画像スキャン時の処理手順を説明する。
【００８０】
スキャナ部４０１から送られて来る画像データを、スキャナ部４０１から送られて来るタイミング信号に同期させて、スキャンバッファ１３０２に保存する。そして、画像バス６１９がPCIバスの場合には、スキャンバッファ１３０２内に画像データが３２ビット以上入った場合に、画像データを先入れ先出しで３２ビット分、スキャンバッファ１３０２からシリアルパラレル・パラレルシリアル変換処理部１３０１に送り、３２ビットの画像データに変換処理した後、画像バスI/Fコントローラ１３００を通して画像バス６１９上に転送する。
【００８１】
また、画像バス６１９がIEEE1394の場合には、スキャンバッファ１３０２内の画像データを先入れ先出しで、スキャンバッファ１３０２からシリアルパラレル・パラレルシリアル変換処理部１３０１に送り、シリアル画像データに変換処理した後、画像バスI/Fコントローラ１３００を通して画像バス６１９上に転送する。
【００８２】
次に、デバイスI/F６２５の画像プリント時の処理手順を説明する。
【００８３】
画像バス６１９がPCIバスの場合には、画像バス６１９から送られて来る３２ビットの画像データを画像バスI/Fコントローラ１３００で受け取り、パラレルシリアル・シリアルパラレル変換処理部１３０３に送り、プリンタ部４０４の入力データビット数の画像データに分解処理した後、プリントバッファ１３０４に保存する。
【００８４】
また、画像バス６１９がIEEE1394の場合には、画像バスから送られて来るシリアル画像データを画像バスI/Fコントローラ１３００で受け取り、パラレルシリアル・シリアルパラレル変換処理部１３００に送り、プリンタ部４０４の入力データビット数の画像データに変換処理した後、プリントバッファ１３０４に保存する。そして、プリンタ部４０４から送られて来るタイミング信号に同期させて、プリントバッファ１３０４内の画像データを先入れ先出しで、プリンタ部４０４に送る。
【００８５】
＜操作部６０７の構成＞
図１４は、操作部６０７の構成を示す平面図であり、同図において、１４００は操作パネルで、液晶表示器とタッチパネルとを組み合わせて構成したものであり、設定内容の表示、ソフトキーの表示等を行うものである。１４０１はスタートキーで、コピー動作等を開始指示するためのハードキーであり、内部に緑色及び赤色のＬＥＤ（発光ダイオード）が組み込まれており、スタート可能な場合に緑色、スタート不可能な場合に赤色のＬＥＤが点灯する。１４０２はストップキーで、動作を停止させる場合に使用するハードキーである。ハードキー群には、テンキー１４０３、クリアキー１４０４、リセットキー１４０５、ガイドキー、ユーザーモードキー等が設けられている。
【００８６】
＜コピー動作モード時の操作パネル１４００の表示＞
図１５は、操作パネル１４００に通常のコピー画面が表示されている様子を示す平面図であり、同図において、１５００は設定表示部で、画像形成装置であるデジタル複写機の現在の動作状況、設定されている倍率、印刷用紙、印刷部数等を表示する部分である。倍率ソフトキー群には、複写時の倍率に関するソフトキーである等倍キー１５０１、拡大キー１５０２、縮小キー１５０３、ズームキー１５０４が設けられる。等倍キー１５０１は、複写倍率を１００％にする際に使用する。縮小キー１５０３及び拡大キー１５０２は、定形の縮小及び拡大を行う際に使用する。ズームキー１５０４は、１％刻みで非定形の縮小及び拡大を行う際に使用する。ソータキー１５０５は、出力用紙（印刷用紙）の処理方法を指定する場合に使用する。両面キー１５０６は、原稿、または、出力方法に両面印刷が係る場合に使用する。用紙選択キー１５０７は、出力用紙のサイズ、色、マテリアル等を指定するための画面に遷移する場合に使用する。濃度指定キー群１５０８は、読み取り、または、出力画像の濃度を調整し、設定内容を表示する場合に使用するものである。応用モードキー１５０９は、応用モード画面に移る場合に使用する。
【００８７】
＜シュレッダ装置（細断装置）の構成＞
図１６は、本実施の形態に係る画像形成装置４００と接続されて画像形成システムを構成するシュレッダ装置（細断装置）の構成を示す側断面図であり、同図において、１６００はシュレッダ装置で、用紙を細断するものである。このシュレッダ装置１６００は、用紙を裁断する細断手段と、前記細断手段により細断されるべき用紙１０１に設けられた記憶媒体である無線タグ１０２から識別情報を読み出す情報読み出し手段と、前記情報読み出し手段が読み出した識別情報に対応する画像データを画像形成装置４００の保存手段から消去するよう制御する制御手段とを有している。
【００８８】
図１６において、１６０１は装置本体、１６０２は搬送ローラで、用紙の束を送り出したりする場合に回転方向が変わるようになっている。１６０３は経路変更板で、後述する細断手段である双方向回転刃に用紙を送るためのものである。１６０４は細断手段である双方向回転刃で、経路変更板１６０３を介して送られて来た用紙を細断するためのものである。１６０５はモータ（電源部を含む）で、搬送ローラ１６０２や双方向回転刃１６０４を駆動させるためのものである。１６０６は手差し給紙口（シート挿入口）、１６０７は紙屑（細断された用紙）１６０８を収納する屑箱、１６０９は開閉ドアで、屑箱１６０７内の紙屑１６０８を取り除く際や保守点検の際に開閉するものである。
【００８９】
１６１０は細断スタートボタン、１６１１は細断ストップボタン、１６１２は逆転スタートボタン、１６１３はコントローラで、各ボタン１６１０〜１６１２の命令によりモータ１６０５を制御するものである。１６１４は屑箱１６０７内の紙屑１６０８の溜まり具合を監視する赤外線センサ、１６１５はインジケータで、赤外線センサ１６１４により検知した紙屑１６０８の溜まり具合を知らせるものである。１６１６はふるい板で、紙屑１６０８を屑箱１６０７の真ん中に集めたり散らしたりするものである。１６１７は用紙載置台で、用紙束１６１８が載置される。１６１９は情報読み出し手段である無線タグ読み取り部で、双方向回転刃１６０４に向けて用紙を挿入する用紙挿入口１６０６に設けられており、無線タグ付き印刷用紙１０１の無線タグ１０２に記憶されたタグ情報（識別情報を含む）を読み取る（読み出す）ものである。
【００９０】
このような構成のシュレッダ装置１６００は、ネットワーク(Network)１６２０を介して画像形成装置４００と接続されるものである。
【００９１】
次に、上記構成に成るシュレッダ装置１６００の動作について説明する。
【００９２】
まず、操作者が細断スタートボタン１６１０をオン（ON）すると、搬送ローラ１６０２が順方向回転を開始し、手差し給紙口１６０６の用紙束１６１８は、搬送ローラ１６０２により経路変更板１６０３を通って双方向回転刃１６０４に送られる。双方向回転刃１６０４は、順方向に回転しながら用紙束１６１８の細断を実行し、ふるい板１６１６により散らされた細断紙である紙屑１６０８は、屑箱１６０７に溜められる。この一連の流れは、図１６中の矢印の向きで示してある。
【００９３】
この様な動作を繰り返していくと、紙屑１６０８は真ん中を高くしながら屑箱１６０８内に溜まっていき、双方向回転刃１６０４や、ふるい板１６１６に接触するようになる。そのため、赤外線センサ１６１４により紙屑１６０８との距離を測り、ある一定距離まで紙屑１６０８が溜まってくると、インジケータ１６１５を点灯させて、紙屑１６０８を屑箱１６０７の外部へ排出するように操作者に対して警告する。
【００９４】
また、用紙束１６１８を手差し給紙口１６０６に入れ過ぎると、シュレッダ装置１６００は用紙束１６１８を細断できなくなり、用紙束１６１８の先端に双方向回転刃１６０２の刃部が食い込んだままになる。このような時は、操作者は、細断ストップボタン１６１１を押すことにより、搬送ローラ１６０２、双方向回転刃１６０４を停止させ、これにより図中の矢印の逆方向の流れで詰まった用紙束１６１８を取り除くことが可能である。
【００９５】
＜画像処理システムの構成＞
図１７は、本実施の形態に係る画像形成システムの全体構成を示すブロック図であり、同図に示すように、画像形成システムは、ホストPC（パーソナルコンピュータ）１７０１と、ファクシミリ（FAX）、プリンタ及びコピー機能を有するマルチファンクション装置１７０２と図１６に示す無線タグ読み取り部１６１９を有するシュレッダ装置１６００とが互いに双方向通信可能なネットワーク１６２０に接続されている。
【００９６】
ホストPC１７０１には、マルチファンクション装置１７０２のプリンタ部より文書作成ソフト等で作成した文書のプリントアウトやマルチファンクション装置１７０２の有するボックス（BOX）機能を利用するためのプリンタドライバがインストールされている。
【００９７】
マルチファンクション装置１７０２は、前述した画像形成装置４００と同様の構成であり、ホストPC１７０１からのプリントデータを受信し、プリントアウトするプリンタ機能、ボックス（BOX）内に一時的にプリントデータやスキャナ部で読み取ったスキャナデータを一時記憶する機能等を提供する。また、マルチファンクション装置１７０２の印刷用紙カセット、または、手差しトレイには、無線タグ付き印刷用紙１０１をセットすることが可能であり、マルチファンクション装置１７０２の有する無線タグリーダ／ライタ部（情報読み出し／書き込み手段）により、タグ情報を用紙に出力することが可能である。
【００９８】
シュレッダ装置１６００は、図１６に基づき説明したように、一般的なシュレッダ部１７００を有するシュレッダ装置本体１６０１の手差し給紙口（用紙挿入口）１６０６に無線タグ読み出し部（情報読み出し手段）１６１９を備え、同時にシュレッダ装置１６００全体を制御するコントローラ部（図示しない）を有しており、このコントローラ部の有するネットワークインタフェースを介してネットワーク１６２０に接続されている。また、前記コントローラ部は、無線タグ読み出し部１６１９が読み出した識別情報に対応する画像データをマルチファンクション装置１７０２の保存手段から消去するよう制御する。
【００９９】
＜セキュアプリントの動作＞
図１８は、本実施の形態に係る画像形成システムにおけるセキュアプリントの動作フローの一例を示すフローチャートである。
【０１００】
セキュアプリントを実行する場合は、まず、ステップＳ１８０１で、ホストPC１７０１のプリンタドライバにより、予めマルチファンクション装置１７０２内の保存手段である一時記憶装置（図示しない）内に設けられたデータ格納フォルダ等の格納先を指定する。次に、ステップＳ１８０２で、電子データ（画像データ）をプリントアウトする際の認証コードを設定する。次に、ステップＳ１８０３で、プリンタドライバよりボックス（BOX）プリントを実行する。次に、ステップＳ１８０４で、プリントデータと認証データがネットワーク１６２０を介してマルチファンクション装置１７０２に送信される。次に、ステップＳ１８０５で、マルチファンクション装置１７０２は、ホストPC１７０１より受信したプリントデータをボックス（BOX）内に記憶すると共に、無線タグ付き印刷用紙１０１の無線タグ１０２にタグ情報として認証データ等を書き込む。次に、ステップＳ１８０６で、無線タグ付き印刷用紙１０１を出力した後、本処理動作を終了する。
【０１０１】
この様に、図１８に示したセキュアプリント時の動作フローは、本発明の画像形成システムのセキュアプリント動作の一例を示しているに過ぎず、ホストPC１７０１側での認証コート設定工程と、マルチファンクション装置１７０２側でのボックス（BOX）格納工程と無線タグ付き印刷用紙１０１の無線タグ１０２への認証情報の書き込み工程とから成る動作フローであれば、この例に限られるものではない。
【０１０２】
＜ボックス（BOX）プリントの動作＞
図１９は、本実施の形態に係る画像形成システムにおけるボックス（BOX）プリント時の動作フローの一例を示すフローチャートである。
【０１０３】
まず、ステップＳ１９０１で、RFIDタグ付き印刷用紙１０１をスキャンさせる。これは、通常原稿と同じ自動原稿送り装置（原稿フィーダ）により原稿を送って、通常のスキャン動作と同じ動作を行う。次に、ステップＳ１９０２で、本実施の形態に係る画像形成システムの画像形成装置４００に相当するマルチファンクション装置１７０２の有するRFIDタグリーダ／ライタ部により、RFIDタグ付き印刷用紙１０１のRFIDタグ１０２に記憶されているタグ情報を読み取り、そのデータを無線により送受信する。次に、前記ステップＳ１９０２において読み取ったタグ情報と、図２２を用いて後述するタグ情報より予め関連付けられた電子データとを照合する。
【０１０４】
次に、ステップＳ１９０３で、画像処理装置４００に相当するマルチファンクション装置１７０２の有する操作部６０７の液晶表示画面に照合結果を表示させる。次に、ステップＳ１９０４で、操作者は照合結果を確認してプリント処理を実行する。
【０１０５】
このように、図１９で示したボックス（（BOX）プリント時の動作フローは、本実施の形態に係る画像形成システムのボックス（BOX）プリント動作フローの一例を説明しているに過ぎず、RFID付き印刷用紙１０１からタグ情報を読み取る工程と、予めタグ情報と関連付けられてボックス（BOX）内に格納されている電子データを照合する照合工程と、その照合工程の照合結果を操作部６０７の液晶表示画面に表示する表示工程と、前記照合工程の照合結果の表示に基づきプリント処理を実行するプリント処理実行工程とから成る一連の動作フローであれば、この例に限るものではない。
【０１０６】
＜データ消去＞
図２０は、本実施の形態に係る画像形成システムにおけるシュレッダ装置１６００によるデータ削除動作のフローの一例を示すフローチャートである。
【０１０７】
まず、ステップ２００１Ｓで、ユーザはシュレッダ装置１６００にかけるRFIDタグ付き印刷用紙１０１の束をシュレッダ装置１６００の用紙挿入口１６０６に挿入し、細断スタートボタン１６１０を押して細断処理動作をスタートする。次に、ステップＳ２００２で、シュレッダ装置１６００の用紙挿入口１６０６に設けられている無線タグ読み出し部１６１９により、RFIDタグ１０２に記憶されているタグ情報を読み出す。次に、ステップＳ２００３で、前記ステップＳ２００２において読み出したタグ情報を解析する。ここで、先に述べたタグ情報より各種情報（識別情報を含む）を抽出し、ネットワーク１６２０を返して電子データの保管場所を前述のマルチファンクション装置１７０２のボックス（BOX）内の電子データを参照する。
【０１０８】
次に、ステップＳ２００４で、前記ステップＳ２００３における参照結果に基づき、操作者に削除しても良いか否かの確認を行う。ここで、操作者が電子データの削除に同意した場合は、ステップＳ２００５へ進んで、前述の参照された電子データを削除した後、本処理動作を終了する。また、前記ステップＳ２００４において電子データの削除に同意しなかった場合は、前記ステップＳ２００５をスキップして、そのまま電子データを残した後、本処理動作を終了する。このように電子データを残した場合は、RFIDタグ付き印刷用紙１０１を細断しないように選択することができる。
【０１０９】
このように、図２０に示すシュレッダ装置１６００によるデータ削除動作のフローは一例に過ぎず、シュレッダ装置１６００の用紙挿入口１６０６に設けられた無線タグ読み出し部１６１９によりタグ情報を読み出すタグ情報読み出し工程と、読み出されたタグ情報により該タグ情報と関連付けられた電子データを参照する参照工程と、参照工程の参照結果に基づき操作者に削除して良いか否かを確認する確認工程と、確認工程の確認結果に基づき電子データを削除する削除工程とを含むものであれば、この例に限らない。
【０１１０】
＜タグ情報＞
図２１は、本実施の形態に係る画像形成システムにおけるRFIDタグ付き印刷用紙１０１のRFIDタグ１０２に記憶されているタグ情報の一例を示す図であり、同図において、２１００は本実施の形態に係る画像形成システムにおけるRFIDタグ付き印刷用紙１０１のRFIDタグ１０２へ書き込まれるタグ情報のフォーマットの一例を示している。２１０１はファイル名、２１０２はデータが一時記憶されるマシンであるプリンタのIPアドレス、２１０３は電子データが一時記憶装置に作成記憶される日時（ファイル作成日時）、２１０４は画像形成システムを利用した操作者の識別子（ID）であるユーザID、２１０５はセキュリティを設定する際の重要度レベル、２１０６は電子データをプリントする際に使用するパスワードであり、これらファイル名２１０１、プリンタのIPアドレス２１０２、ファイル作成日時２１０３、ユーザID２１０４、重要度レベル２１０５及びパスワード２１０６がRFIDタグ１０２に記憶されている。
【０１１１】
このように、図２１に示したタグ情報は一例に過ぎず、ボックス（BOX）内に一時記憶された電子データと１対１の関連付けに必要な情報と電子データを出力するための認証情報としての個人識別IDとパスワードとから構成されるタグ情報とから構成されていれば、この例に限るものではない。
【０１１２】
ボックス（BOX）内に記憶されているプリントデータの出力のキーとして機能する無線タグ１０２をシュレッダ装置１６００にかけた際に、同時にボックス（BOX）内のデータを消去することで、ボックス（BOX）内のデータの整理も同時にできるようにする。こうすることで、電子データの整理、セキュリティ文書の管理を簡単に行うことができ、無線タグ付き印刷用紙１０１をキーとしたセキュアプリント時のボックス（BOX）内データの消去のユーザビリティを高めることで、セキュリティを向上させた画像形成システムを提供することができる。
【０１１３】
また、暗号化したプリントデータをボックス（BOX）内に格納すると同時に、ボックス（BOX）内に格納されたプリントデータを出力するための鍵として機能する無線タグ付き印刷用紙１０１を出力する。
【０１１４】
無線タグ１０１に記憶されている情報を読み出し可能なシュレッダ装置１６００により、無線タグ付き媒体１０１をシュレッダ装置装置１６００にかける場合、無線タグ読み出し部１６１９によりタグ情報を読み出し、予め無線タグ１０２に記憶されているタグ情報と関連付けられているマルチファンクション装置１７０２のボックス（BOX）に格納されているデータを消去するというワークフローを実現することができる。
【０１１５】
（その他の実施の形態）
以上が本発明の実施の形態の説明であるが、本発明は、これの実施の形態に限られるものではなく、特許請求の範囲で示した機能、または実施の形態の構成が持つ機能を達成できる構成であれば、どのようなものであっても適用可能である。
【図面の簡単な説明】
【０１１６】
【図１】第１の実施の形態に係る画像形成装置及び画像形成システムに用いるRFタグ付き印刷用紙の一例を示す平面図である。
【図２】図１に示すRFIDタグの電気的構成を示すブロック図である。
【図３】第１の実施の形態に係る画像形成装置及び画像形成システムにおける無線タグリーダ／ライタの電気的構成を示すブロック図である。
【図４】第１の実施の形態に係る画像形成装置の外観構成を示す側面図である。
【図５】第１の実施の形態に係る画像形成装置の内部構成を示す側断面図である。
【図６】第１の実施の形態に係る画像形成装置におけるコントローラユニットの構成を示すブロック図である。
【図７】第１の実施の形態に係る画像形成装置におけるスキャナ画像処理部の構成を示すブロック図である。
【図８】第１の実施の形態に係る画像形成装置におけるプリンタ画像処理部の構成を示すブロック図である。
【図９】第１の実施の形態に係る画像形成装置における画像回転処理部の構成を示すブロック図である。
【図１０】第１の実施の形態に係る画像形成装置における画像圧縮処理部の構成を示すブロック図である。
【図１１】第１の実施の形態に係る画像形成装置における画像回転処理部の画像回転処理動作を説明するための説明図である。
【図１２】第１の実施の形態に係る画像形成装置における画像回転処理部の画像回転処理動作を説明するための説明図である。
【図１３】第１の実施の形態に係る画像形成装置におけるデバイスI/Fの構成を示すブロック図である。
【図１４】第１の実施の形態に係る画像形成装置における操作部の構成を示す平面図である。
【図１５】第１の実施の形態に係る画像形成装置における操作部の表示画面の一例を示す平面図である。
【図１６】第１の実施の形態に係る画像形成システムにおけるシュレッダ装置の内部構成を示す側断面図である。
【図１７】第１の実施の形態に係る画像形成システムの構成を示すブロック図である。
【図１８】第１の実施の形態に係る画像形成システムにおけるセキュアプリント時のフローの一例を示すフローチャートである。
【図１９】第１の実施の形態に係る画像形成システムにおけるボックス（BOX）プリント時の動作フローの一例を示すフローチャートである。
【図２０】第１の実施の形態に係る画像形成システムにおけるシュレッダ装置によるボックス（BOX）格納データの削除動作フローの一例を示すフローチャートである。
【図２１】第１の実施の形態に係る画像形成装置及び画像形成システムに用いるRFIDタグ付き印刷用紙のRFIDタグに記憶されるタグ情報の一例を示す図である。
【符号の説明】
【０１１７】
１０１    RFIDタグ付き印刷用紙（用紙）
１０２    RFIDタグ（記憶媒体）
３００    RFIDリーダ／ライタ部（情報読み出し手段、情報書き込み手段）
４００    画像形成装置（デジタル複写機）
６１６    RFIDリーダ／ライタ部（情報読み取り手段、情報書き込み手段）
１６００  シュレッダ装置（細断装置）
１６０４  双方向回転刃（細断手段）
１６０６  用紙挿入口
１６１９  無線タグ読み出し部（情報読み出し手段）
１７０２  マルチファンクション装置（画像形成装置）
【図１】
2006128798.tif 000003
【図２】
2006128798.tif 000004
【図３】
2006128798.tif 000005
【図４】
2006128798.tif 000006
【図５】
2006128798.tif 000007
【図６】
2006128798.tif 000008
【図７】
2006128798.tif 000009
【図８】
2006128798.tif 000010
【図９】
2006128798.tif 000011
【図１０】
2006128798.tif 000012
【図１１】
2006128798.tif 000013
【図１２】
2006128798.tif 000014
【図１３】
2006128798.tif 000015
【図１４】
2006128798.tif 000016
【図１５】
2006128798.tif 000017
【図１６】
2006128798.tif 000018
【図１７】
2006128798.tif 000019
【図１８】
2006128798.tif 000020
【図１９】
2006128798.tif 000021
【図２０】
2006128798.tif 000022
【図２１】
2006128798.tif 000023